(57)【特許請求の範囲】
【請求項１】
映像のシーンに対応する情報ＩＤを配信する情報配信サーバと、当該情報ＩＤを受信し、ユーザが再視聴を受けるためのクライアントと、映像の再生開始位置を決定する検索サーバと、映像を配信するビデオオンデマンドサーバとから構成される映像再視聴システムであって、
前記情報配信サーバは、映像のシーン毎に異なる情報ＩＤを付与する手段、該情報ＩＤを前記クライアントに送信する手段、および該情報ＩＤとシーンが始まる時間位置との組を前記検索サーバに送信する手段を具備し、
前記クライアントは、前記情報配信サーバから送られる情報ＩＤを受信する手段、ユーザが指定する再視聴したいシーンの記録命令を受信する手段、該記録命令を受信したときに直近に受信した情報ＩＤを記録する手段、記録された情報ＩＤを前記検索サーバに送信する手段、該検索サーバに送信した情報ＩＤのシーンから始まる映像を前記ビデオオンデマンドサーバから受信する手段を具備し、
前記検索サーバは、前記クライアントから受信した情報ＩＤから映像の再生開始時間位置を決定する手段、決定された再生開始位置を前記ビデオオンデマンドサーバに送信する手段を具備し、
前記ビデオオンデマンドサーバは、配信される映像を記録する手段、再生開始時間位置を前記検索サーバから受信し、当該再生開始時間位置からの映像を前記クライアントに送信する手段を具備する、
ことを特徴とする映像再視聴システム。
【請求項２】
請求項１に記載の映像再視聴システムにおいて、
前記情報配信サーバは、映像に同期しシーンを特定する付加情報と当該シーンの情報ＩＤを生成して前記クライアントに配信する手段を具備し、
前記クライアントは、予めユーザが再視聴したいシーンを設定する手段と、付加情報とユーザの設定を用いて、再視聴するシーンの情報ＩＤを決定する手段を具備する、
ことを特徴とする映像再視聴システム。
【請求項３】
映像のシーンに対応する情報ＩＤを配信する情報配信サーバと、当該情報ＩＤを受信し、ユーザが再視聴を受けるためのクライアントと、映像の再生開始位置を決定する検索サーバと、再視聴シーンを決定する情報取得サーバと、映像を配信するビデオオンデマンドサーバとから構成される映像再視聴システムであって、
前記情報配信サーバは、映像に同期しシーンを特定する付加情報と映像のシーン毎に異なる情報ＩＤを付与する手段、該情報ＩＤと付加情報を前記情報取得サーバに送信する手段、該情報ＩＤとシーンが始まる時間位置との組を前記検索サーバに送信する手段を具備し、
前記情報取得サーバは、前記情報配信サーバから送られる情報ＩＤと付加情報を受信する手段、ユーザが指定する再視聴したいシーンを受信する手段、付加情報とユーザの設定を用いて、再視聴するシーンの情報ＩＤを決定する手段、決定された情報ＩＤを前記クライアントに送信する手段を具備し、
前記クライアントは、前記情報取得サーバから送られる情報ＩＤを受信する手段、受信した情報ＩＤを前記検索サーバに送信する手段、該検索サーバに送信した情報ＩＤのシーンから始まる映像を前記ビデオオンデマンドサーバから受信する手段を具備し、
前記検索サーバは、前記クライアントから受信した情報ＩＤから映像の再生開始時間位置を決定する手段、決定された再生開始位置を前記ビデオオンデマンドサーバに送信する手段を具備し、
前記ビデオオンデマンドサーバは、配信される映像を記録する手段、再生開始時間位置を前記検索サーバから受信し、当該再生開始時間位置からの映像を前記クライアントに送信する手段を具備する、
ことを特徴とする映像再視聴システム。
【請求項４】
請求項１〜３のいずれか１項に記載の映像再視聴システムにおいて、
前記検索サーバは、情報ＩＤから映像の再生開始時間位置を決定する際に、ユーザを特定するユーザＩＤと情報ＩＤを記録する手段を具備することを特徴とする映像再視聴システム。
【請求項５】
請求項４に記載の映像再視聴システムにおいて、
前記検索サーバは、ユーザの好みに合わせてシーンの再生開始時間位置をずらす手段をさらに有する、
ことを特徴とする映像再視聴システム。
【請求項６】
請求項４に記載の映像再視聴システムにおいて、
前記検索サーバは、情報ＩＤから映像の再生開始時間位置を決定する際に、ユーザＩＤと情報ＩＤと時刻をキーにして関連情報を検索する手段と、検索された関連情報をユーザに提示する手段とを具備する、
ことを特徴とする映像再視聴システム。
【請求項７】
映像のシーンに対応する情報ＩＤを配信する情報配信部と、映像の再生開始位置を決定する検索部、および映像を配信するビデオオンデマンド部とを有するサーバと、当該情報ＩＤを受信し、ユーザが再視聴を受けるためのクライアントとを有して映像を再視聴する映像再視聴方法であって、
前記情報配信部は、映像のシーン毎に異なる情報ＩＤを付与する過程、該情報ＩＤをクライアントに送信する過程、および該情報ＩＤとシーンが始まる時間位置との組をサーバに送信する過程を具備し、
前記クライアントは、前記情報配信部から送られる情報ＩＤを受信する過程、ユーザが指定する再視聴したいシーンの記録命令を受信する過程、該記録命令を受信したときに直近に受信した情報ＩＤを記録する過程、記録された情報ＩＤをサーバに送信する過程、サーバに送信した情報ＩＤのシーンから始まる映像をビデオオンデマンド部から受信する過程を具備し、
前記検索部は、前記クライアントから受信した情報ＩＤから映像の再生開始時間位置を決定する過程、決定された再生開始位置を前記ビデオオンデマンド部に送信する過程を具備し、
前記ビデオオンデマンド部は、配信される映像を記録する過程、再生開始時間位置を前記サーバから受信し、当該再生開始時間位置からの映像を前記クライアントに送信する過程を具備する、
ことを特徴とする映像再視聴方法。
【請求項８】
請求項７に記載の映像再視聴方法において、
前記情報配信部は、映像に同期しシーンを特定する付加情報と当該シーンの情報ＩＤを生成して前記クライアントに配信する過程を具備し、
前記クライアントは、予めユーザが再視聴したいシーンを設定する過程と、付加情報とユーザの設定を用いて、再視聴するシーンの情報ＩＤを決定する過程を具備することを特徴とする映像再視聴方法。
【請求項９】
映像のシーンに対応する情報ＩＤを配信する情報配信部と、映像の再生開始位置を決定する検索部と、再視聴シーンを決定する情報取得部、および映像を配信するビデオオンデマンド部とを有するサーバと、当該情報ＩＤを受信し、ユーザが再視聴を受けるためのクライアントとを有して映像を再視聴する映像再視聴方法であって、
前記情報配信部は、映像に同期しシーンを特定する付加情報と映像のシーン毎に異なる情報ＩＤを付与する過程、該情報ＩＤと付加情報を前記情報取得部に送信する過程、該情報ＩＤとシーンが始まる時間位置との組を前記サーバに送信する過程を具備し、
前記情報取得部は、前記情報配信部から送られる情報ＩＤと付加情報を受信する過程、ユーザが指定する再視聴したいシーンを受信する過程、付加情報とユーザの設定を用いて、再視聴するシーンの情報ＩＤを決定する過程、決定された情報ＩＤを前記クライアントに送信する過程を具備し、
前記クライアントは、前記情報取得部から送られる情報ＩＤを受信する過程、受信した情報ＩＤを前記サーバに送信する過程、該サーバに送信した情報ＩＤのシーンから始まる映像を前記ビデオオンデマンド部から受信する過程を具備し、
前記検索部は、前記クライアントから受信した情報ＩＤから映像の再生開始時間位置を決定する過程、決定された再生開始位置を前記ビデオオンデマンド部に送信する過程を具備し、
前記ビデオオンデマンド部は、配信される映像を記録する過程、再生開始時間位置を前記検索サーバから受信し、当該再生開始時間位置からの映像を前記クライアントに送信する過程を具備する、
ことを特徴とする映像再視聴方法。
【請求項１０】
請求項７〜９のいずれか１項に記載の映像再視聴方法において、
前記検索部は、情報ＩＤから映像の再生開始時間位置を決定する際に、ユーザを特定するユーザＩＤと情報ＩＤを記録する過程を具備することを特徴とする映像再視聴方法。
【請求項１１】
請求項１０に記載の映像再視聴方法において、
前記検索部は、ユーザの好みに合わせてシーンの再生開始時間位置をずらす過程をさらに有する、
ことを特徴とする映像再視聴方法。
【請求項１２】
請求項１０に記載の映像再視聴方法において、
前記検索部は、情報ＩＤから映像の再生開始時間位置を決定する際に、ユーザＩＤと情報ＩＤと時刻をキーにして関連情報を検索する過程と、検索された関連情報をユーザに提示する過程とを具備することを特徴とする映像再視聴方法。
【請求項１３】
請求項７〜１２に記載の映像再視聴方法における各処理過程を、コンピュータで実行可能に構成したことを特徴とするプログラム。
【請求項１４】
請求項１３に記載のプログラムを、コンピュータが読み取り可能に記録したことを特徴とする記録媒体。
【発明の詳細な説明】
【０００１】
【発明の属する技術分野】
本発明は、映像と同期した情報を利用する映像再視聴システムおよび映像再視聴方法に関するもので、特に情報をキーにして映像を再視聴するシステムとして利用され、ビデオオンデマンドシステムとライブ放送システムの連携システムに適用でき、またネットワーク放送システム等で利用可能なものである。
【０００２】
【従来の技術】
従来、放送された番組を再視聴するためのシステムとして、受信端末で配信される映像を録画し、録画した映像を再視聴するシステムがあった。映像が電波放送で配信される場合、ビデオテープレコーダなどの録画機器が利用されている。ネットワーク放送で配信される場合は、受信端末としてパソコンが用いられ、パソコンのハードディスクに映像を蓄積して録画するのが一般的である。蓄積した映像はユーザが自由に再視聴可能である。
【０００３】
【発明が解決しようとする課題】
ビデオデッキやパソコンのハードディスクに録画された映像は、ユーザが指定するタイミングで録画されたものである。特に、スポーツ中継などのライブ中継で、後で自分が見たいと思うであろう特定のシーンだけを録画するのは難しく、タイミング良く録画しようとしても録り逃し、再視聴できないという問題があった。これが第１の課題である。
【０００４】
また、録り逃すことを防ぐために、番組予約機能を使って番組全体を録画するようなことも可能である。しかし、録画した番組全体の映像から、再視聴したいシーンを探し出すことは手間がかかり困難である。そこで、予め指定したシーンだけを予約できればよいのだが、シーン毎に予約することはできなかったのが第２の課題である。
【０００５】
第３の課題として、映像提供者の立場では、配信した映像をユーザが勝手に再利用するのは望ましくない。しかし、ユーザが配信された映像をどのように使ったのか知る手段がないという問題がある。ユーザは録画してしまえば、その映像を何度でも自由に操作できる。そのため、映像提供者にとっては、ユーザが再視聴したシーンがどのシーンだったのかを調べる手段がないという問題があった。また、再利用に対して課金する手段がなかった。
【０００６】
さらに、第４の課題としては、ユーザにとっては配信された映像を再視聴するだけの仕組みしかないので、映像再視聴時に、ユーザ毎、シーン毎、或いは再視聴するタイミング毎にカスタマイズされた関連情報を受けることはできなかった。
【０００７】
本発明の目的は、上記の課題を解決した映像再視聴システム、映像再視聴方法、この方法のプログラム、このプログラムを記録した記録媒体を提供することにある。
【０００８】
【課題を解決するための手段】
第１の課題を解決するために、本発明は、シーン毎に異なる情報ＩＤを付与する手段と、ユーザが再視聴したいシーンの情報ＩＤを記録する手段と、情報ＩＤから映像の再生開始時間位置を決定する手段と、配信される映像を記録する手段と、記録した映像を再生開始時間位置を指定されることによって再生する手段とを具備する。
【０００９】
上記手段によれば、ユーザは再視聴したいシーンを示す情報ＩＤを記録することができ、その情報ＩＤから映像の再生出始時間位置として相応しいものを一意に得ることができる。また、その時点からの再生映像を見ることができる。したがって、シーンを指定するだけで、そのシーンを再視聴することが可能になる。
【００１０】
第２の課題を解決するために、本発明は、第１の課題を解決する手段に加え、映像に同期しシーンを特定する付加情報と当該シーンの情報ＩＤを生成する手段と、予めユーザが再視聴したいシーンを設定する手段と付加情報とユーザの設定を用いて、再視聴するシーンを決定する手段とを具備する。
【００１１】
上記手段によれば、ユーザが予め再視聴したいシーンを設定すれば、当該シーンの情報ＩＤを映像に同期する付加情報をキーに選択し、記録することができる。また、情報ＩＤから映像の再生開始時間位置を一意に得ることができ、またその時点からの再生映像を見ることができる。したがって、ユーザはシーンを予約して再視聴することが可能になる。
【００１２】
第３の課題を解決するために、本発明は、情報ＩＤから映像の再生開始時間位置を決定する際に、ユーザを特定するユーザＩＤと情報ＩＤを記録する手段と、ユーザＩＤと情報ＩＤとをキーにして課金する手段とを具備する。
【００１３】
これらの手段によって、ユーザが再視聴するシーンを特定する情報ＩＤをユーザ毎に特定されるユーザＩＤと共に記録できるため、シーン毎、ユーザ毎に課金することが可能になる。
【００１４】
また、第４の課題を解決するために、本発明は、情報ＩＤから映像の再生開始時間位置を決定する際に、ユーザＩＤと情報ＩＤと時刻をキーにして関連情報を検索する手段と、検索された関連情報をユーザに提示する手段とを具備する。
【００１５】
これにより、ユーザＩＤはユーザを決定し、情報ＩＤはシーンを決定するものであり、ユーザ毎、シーン毎にカスタマイズした関連情報を取得することが可能になる。また、時刻をキーに加えることにより、再視聴のタイミングを特定でき、そのタイミング毎に関連情報を取得することが可能になる。以上により、ユーザはカスタマイズされた関連情報を受けることが可能になる。
【００１６】
以上のことから、本発明は、以下のシステム、方法、プログラムおよび記録媒体を特徴とする。
【００１７】
（システムの発明）
（１）映像のシーンに対応する情報ＩＤを配信する情報配信サーバと、当該情報ＩＤを受信し、ユーザが再視聴を受けるためのクライアントと、映像の再生開始位置を決定する検索サーバと、映像を配信するビデオオンデマンドサーバとから構成される映像再視聴システムであって、
前記情報配信サーバは、映像のシーン毎に異なる情報ＩＤを付与する手段、該情報ＩＤを前記クライアントに送信する手段、および該情報ＩＤとシーンが始まる時間位置との組を前記検索サーバに送信する手段を具備し、
前記クライアントは、前記情報配信サーバから送られる情報ＩＤを受信する手段、ユーザが指定する再視聴したいシーンの記録命令を受信する手段、該記録命令を受信したときに直近に受信した情報ＩＤを記録する手段、記録された情報ＩＤを前記検索サーバに送信する手段、該検索サーバに送信した情報ＩＤのシーンから始まる映像を前記ビデオオンデマンドサーバから受信する手段を具備し、
前記検索サーバは、前記クライアントから受信した情報ＩＤから映像の再生開始時間位置を決定する手段、決定された再生開始位置を前記ビデオオンデマンドサーバに送信する手段を具備し、
前記ビデオオンデマンドサーバは、配信される映像を記録する手段、再生開始時間位置を前記検索サーバから受信し、当該再生開始時間位置からの映像を前記クライアントに送信する手段を具備することを特徴とする。
【００１８】
（２）上記の（１）に記載の映像再視聴システムにおいて、
前記情報配信サーバは、映像に同期しシーンを特定する付加情報と当該シーンの情報ＩＤを生成して前記クライアントに配信する手段を具備し、
前記クライアントは、予めユーザが再視聴したいシーンを設定する手段と、付加情報とユーザの設定を用いて、再視聴するシーンの情報ＩＤを決定する手段を具備することを特徴とする。
【００１９】
（３）映像のシーンに対応する情報ＩＤを配信する情報配信サーバと、当該情報ＩＤを受信し、ユーザが再視聴を受けるためのクライアントと、映像の再生開始位置を決定する検索サーバと、再視聴シーンを決定する情報取得サーバと、映像を配信するビデオオンデマンドサーバとから構成される映像再視聴システムであって、
前記情報配信サーバは、映像に同期しシーンを特定する付加情報と映像のシーン毎に異なる情報ＩＤを付与する手段、該情報ＩＤと付加情報を前記情報取得サーバに送信する手段、該情報ＩＤとシーンが始まる時間位置との組を前記検索サーバに送信する手段を具備し、
前記情報取得サーバは、前記情報配信サーバから送られる情報ＩＤと付加情報を受信する手段、ユーザが指定する再視聴したいシーンを受信する手段、付加情報とユーザの設定を用いて、再視聴するシーンの情報ＩＤを決定する手段、決定された情報ＩＤを前記クライアントに送信する手段を具備し、
前記クライアントは、前記情報取得サーバから送られる情報ＩＤを受信する手段、受信した情報ＩＤを前記検索サーバに送信する手段、該検索サーバに送信した情報ＩＤのシーンから始まる映像を前記ビデオオンデマンドサーバから受信する手段を具備し、
前記検索サーバは、前記クライアントから受信した情報ＩＤから映像の再生開始時間位置を決定する手段、決定された再生開始位置を前記ビデオオンデマンドサーバに送信する手段を具備し、
前記ビデオオンデマンドサーバは、配信される映像を記録する手段、再生開始時間位置を前記検索サーバから受信し、当該再生開始時間位置からの映像を前記クライアントに送信する手段を具備することを特徴とする。
【００２１】
（４）上記の（１）〜（３）のいずれか１項に記載の映像再視聴システムにおいて、
前記検索サーバは、情報ＩＤから映像の再生開始時間位置を決定する際に、ユーザを特定するユーザＩＤと情報ＩＤを記録する手段を具備することを特徴とする。
【００２２】
（５）上記の（４）に記載の映像再視聴システムにおいて、
前記検索サーバは、ユーザの好みに合わせてシーンの再生開始時間位置をずらす手段をさらに有することを特徴とする。
【００２３】
（６）上記の（４）に記載の映像再視聴システムにおいて、
前記検索サーバは、情報ＩＤから映像の再生開始時間位置を決定する際に、ユーザＩＤと情報ＩＤと時刻をキーにして関連情報を検索する手段と、検索された関連情報をユーザに提示する手段とを具備することを特徴とする。
【００２４】
（方法の発明）
（７）映像のシーンに対応する情報ＩＤを配信する情報配信部と、映像の再生開始位置を決定する検索部、および映像を配信するビデオオンデマンド部とを有するサーバと、当該情報ＩＤを受信し、ユーザが再視聴を受けるためのクライアントとを有して映像を再視聴する映像再視聴方法であって、
前記情報配信部は、映像のシーン毎に異なる情報ＩＤを付与する過程、該情報ＩＤをクライアントに送信する過程、および該情報ＩＤとシーンが始まる時間位置との組をサーバに送信する過程を具備し、
前記クライアントは、前記情報配信部から送られる情報ＩＤを受信する過程、ユーザが指定する再視聴したいシーンの記録命令を受信する過程、該記録命令を受信したときに直近に受信した情報ＩＤを記録する過程、記録された情報ＩＤをサーバに送信する過程、サーバに送信した情報ＩＤのシーンから始まる映像をビデオオンデマンド部から受信する過程を具備し、
前記検索部は、前記クライアントから受信した情報ＩＤから映像の再生開始時間位置を決定する過程、決定された再生開始位置を前記ビデオオンデマンド部に送信する過程を具備し、
前記ビデオオンデマンド部は、配信される映像を記録する過程、再生開始時間位置を前記サーバから受信し、当該再生開始時間位置からの映像を前記クライアントに送信する過程を具備することを特徴とする。
【００２５】
（８）上記の（７）に記載の映像再視聴方法において、
前記情報配信部は、映像に同期しシーンを特定する付加情報と当該シーンの情報ＩＤを生成して前記クライアントに配信する過程を具備し、
前記クライアントは、予めユーザが再視聴したいシーンを設定する過程と、付加情報とユーザの設定を用いて、再視聴するシーンの情報ＩＤを決定する過程を具備することを特徴とする。
【００２６】
（９）映像のシーンに対応する情報ＩＤを配信する情報配信部と、映像の再生開始位置を決定する検索部と、再視聴シーンを決定する情報取得部、および映像を配信するビデオオンデマンド部とを有するサーバと、当該情報ＩＤを受信し、ユーザが再視聴を受けるためのクライアントとを有して映像を再視聴する映像再視聴方法であって、
前記情報配信部は、映像に同期しシーンを特定する付加情報と映像のシーン毎に異なる情報ＩＤを付与する過程、該情報ＩＤと付加情報を前記情報取得部に送信する過程、該情報ＩＤとシーンが始まる時間位置との組を前記サーバに送信する過程を具備し、
前記情報取得部は、前記情報配信部から送られる情報ＩＤと付加情報を受信する過程、ユーザが指定する再視聴したいシーンを受信する過程、付加情報とユーザの設定を用いて、再視聴するシーンの情報ＩＤを決定する過程、決定された情報ＩＤを前記クライアントに送信する過程を具備し、
前記クライアントは、前記情報取得部から送られる情報ＩＤを受信する過程、受信した情報ＩＤを前記サーバに送信する過程、該サーバに送信した情報ＩＤのシーンから始まる映像を前記ビデオオンデマンド部から受信する過程を具備し、
前記検索部は、前記クライアントから受信した情報ＩＤから映像の再生開始時間位置を決定する過程、決定された再生開始位置を前記ビデオオンデマンド部に送信する過程を具備し、
前記ビデオオンデマンド部は、配信される映像を記録する過程、再生開始時間位置を前記検索サーバから受信し、当該再生開始時間位置からの映像を前記クライアントに送信する過程を具備することを特徴とする。
【００２７】
（１０）上記の（７）〜（９）のいずれか１項に記載の映像再視聴方法において、
前記検索部は、情報ＩＤから映像の再生開始時間位置を決定する際に、ユーザを特定するユーザＩＤと情報ＩＤを記録する過程を具備することを特徴とする。
【００２９】
（１１）上記の（１０）に記載の映像再視聴方法において、
前記検索部は、ユーザの好みに合わせてシーンの再生開始時間位置をずらす過程をさらに有することを特徴とする。
【００３０】
（１２）  上記の（１０）に記載の映像再視聴方法において、
前記検索部は、情報ＩＤから映像の再生開始時間位置を決定する際に、ユーザＩＤと情報ＩＤと時刻をキーにして関連情報を検索する過程と、検索された関連情報をユーザに提示する過程とを具備することを特徴とする。
【００３１】
（プログラムの発明）
（１３）上記の（７）〜（１２）に記載の映像再視聴方法における各処理過程を、コンピュータで実行可能に構成したことを特徴とする。
【００３２】
（記録媒体の発明）
（１４）上記の（１３）に記載のプログラムを、コンピュータが読み取り可能に記録したことを特徴とする。
【００３３】
【発明の実施の形態】
（第１の実施形態）
前記の第１及び第３、第４の課題を解決する、第１の実施形態の基本システム構成図を図１に示す。１０１は映像を配信する映像配信サーバ、１０３は映像に同期した情報を付与し当該情報を配信する情報配信サーバ、１０４は情報から映像の再生開始位置を決定する検索サーバ、１０５は配信映像を蓄積し再配信するビデオオンデマンドサーバ、１０６はユーザが映像を試聴するクライアントである。１０１、１０３〜１０６のそれぞれのサーバ、クライアントは、互いにインターネットを始めとするＩＰ網や電話網、放送網などのネットワークで結ばれている。映像配信サーバ１０１は、直接クライアント１０６へ映像を配信する場合もある。
【００３４】
映像配信サーバ１０１は、中継映像を始め、ユーザに配信する映像と同じ映像をライブ配信する。この映像は情報配信サーバ１０３へ送られる。
【００３５】
情報配信サーバ１０３の動作について図２を用いて説明する。図２で、１０３１は映像受信器、１０３２はインデクサ、１０３３は情報ＩＤ送信器、１０３４は情報送信器である。
【００３６】
図２において、映像は情報受信器１０３１が受信する。受信した映像はインデクサ１０３２に送られ、時間にしたがって変化するシーンを決定する情報ＩＤを作成する。情報ＩＤは、映像の時間位置を示すタイムコードを一意に決定するものであり、タイムコードそのものであってもよい。シーンは、例えば、意味的な固まりで野球中継の場合、ホームランやヒットなどのイベントが発生したとき、それらが映っている場面をシーンと定義し、情報ＩＤを割振る。情報ＩＤはそれらのシーンが始まる時間位置とが組になる。作成には人手を介することもある。また、別の例では、シーンは映像が表現される最小の映像再生単位、つまりフレームやＧＯＰを指し、そのＩＤを情報ＩＤとし、その時間位置を組にする。
【００３７】
インデクサ１０３２で作成した情報ＩＤは、情報ＩＤ送信器１０３３からクライアント１０６へ、情報ＩＤと時間位置の組は情報送信器１０３４から検索サーバ１０４へそれぞれ順次送られる。
【００３８】
情報ＩＤ送信器１０３３が送出する情報ＩＤは、テキスト情報として送られる場合がある。また、例えば、ＭＰＥＧ−２システム（ISO/IEC JTC1/13818-1）のユーザ領域に情報を埋め込むなどして、クライアントへ配信する映像に重畳して送る場合もある。また、情報ＩＤが映像のタイムコードそのものである場合もある。その場合、映像配信サーバ１０１と情報配信サーバ１０３が同一のものとして構成されることもある。
【００３９】
クライアント１０６は、ユーザが操作する端末であり、ユーザが再視聴したいシーンを決定したり、再視聴を行う端末である。図３を用いて、クライアント１０６の動作を説明する。
【００４０】
図３で、１０６１は情報配信サーバから送られる情報ＩＤを受信する情報受信器、１０６２はユーザが指定する再視聴したいシーンを受信するユーザ情報受信器、１０６３は指定されたシーンの情報ＩＤを記録する情報記録器、１０６４は記録された情報ＩＤが保存される情報ＤＢ（データベース）、１０６５は保存された情報ＩＤを検索サーバ１０４へ送信する情報送信器、１０６６はビデオオンデマンドサーバからの映像や情報を受信する映像情報受信器、１０６７は映像や情報を表示する情報表示器である。
【００４１】
情報配信サーバ１０３から送られる情報ＩＤは情報受信器１０６１が受信する。受信した情報ＩＤは随時、情報記録器１０６３へ送られる。
【００４２】
一方ユーザは、映像配信サーバ１０１や情報配信サーバ１０３、若しくはそれらと同一の映像を配信する別の映像配信サーバから配信される中継映像を見ている。ユーザが再視聴したいシーンを見つけると、ユーザ情報受信器１０６２に記録命令を発行する。記録命令はユーザ情報受信器１０６２から情報記録器１０６３へ送られる。
【００４３】
情報記録器１０６３では、記録命令を受信したときに受信した情報ＩＤ、もしくはその時に情報ＩＤを受信しなかったときはその直前に受信した情報ＩＤを情報ＤＢ１０６４へ記録する。
【００４４】
ユーザが当該シーンを再視聴したい場合、情報ＤＢ１０６４に記録されている情報ＩＤを情報送信器１０６５から検索サーバ１０４へ送信する。検索サーバ１０４は受信した情報ＩＤと、検索サーバに記録されている情報ＩＤと時間情報の組を用いて、当該情報ＩＤに対応する映像再生時間位置を得る。
【００４５】
また、クライアント１０６から情報ＩＤと同時にそれぞれのユーザを同定するユーザＩＤが検索サーバ１０４へ送られた場合、当該ユーザが再視聴をしようとしたという情報が取得できるので、それを記録し、また、それに基づいて課金をすることができる。また、ユーザ毎に再生映像に付加して見せる関連情報を検索し、それを映像と共にクライアントへ提供することも可能になる。さらに、ユーザ毎に映像の再生開始位置をずらし、例えば、ユーザの好みに合わせて、指定されたシーンの再生開始時間位置をさらに１０秒前に遡った値とするなどのカスタマイズを行うことも可能になる。
【００４６】
検索サーバ１０４で得られた映像再生開始位置はビデオオンデマンドサーバ１０５へ送られ、その映像再生開始位置からの映像がクライアント１０６へ提供される。
【００４７】
クライアント１０６では、映像情報受信器１０６６が提供された映像を受信し、情報表示器１０６７に当該映像を表示する。以上の操作により、ユーザは指定したシーンの再視聴が可能になる。
【００４８】
また、検索サーバで関連情報が検索された場合、当該関連情報は例えば映像と同期して情報表示器１０６７でユーザに提示される。
【００４９】
（第２の実施形態）
前記の第２及び第３、第４の課題を解決する、第２の実施形態について図１を用いて説明する。映像配信サーバ１０１は、中継映像を始めユーザに配信する映像と同じ映像をライブ配信する。映像は情報配信サーバ１０３へ送られる。
【００５０】
本実施形態における情報配信サーバ１０３の動作について図２を用いて説明する。映像は情報受信器１０３１が受信する。受信した映像はインデクサ１０３２に送られる。インデクサ１０３２は映像中で起こった、例えば野球中継ならば、ホームランやヒットなどいう映像中で起こった出来事やシーンチェンジ等に相当する映像の物理的な変化に相当するイベントに関する情報を付加情報とし、付加情報と映像の再生位置を決定する情報ＩＤとの組を作成する。作成には人手を介することもある。情報ＩＤは映像の時間位置を示すタイムコードを一意に決定するものであり、タイムコードそのものやＧＯＰのＩＤであってもよい。インデクサ１０３２で作成した付加情報と情報ＩＤは、情報ＩＤ送信器１０３３へ送られ、クライアント１０６へ順次送信される。情報送信方法は、第１の実施形態と同様の方法で行われる。また、インデクサ１０３２で作成した情報ＩＤと再生時間位置の組は情報送信器１０３４から検索サーバ１０４へ送られる。
【００５１】
クライアント１０６は、ユーザが操作する端末であり、予めユーザが再視聴したいシーンを設定したり、設定して得られた映像の再視聴を行う端末である。図４を用いて、クライアントの動作を説明する。
【００５２】
図４で、２０６１は情報配信サーバから送られる情報を受信する情報受信器、２０６２はユーザが指定する再視聴したいシーンを受信するユーザ情報受信器、２０６３は指定されたシーンが発生したことを判定する条件判定器、２０６４は選ばれたシーンの情報ＩＤを記録する情報記録器、２０６５は記録された情報ＩＤが保存される情報ＤＢ、２０６６は保存された情報ＩＤを検索サーバ１０４へ送信する情報送信器、２０６７はビデオオンデマンドサーバからの映像や情報を受信する映像情報受信器、２０６８は映像や情報を表示する情報表示器である。
【００５３】
情報配信サーバ１０３から送られる付加情報と情報ＩＤの組は情報受信器２０６１が受信する。受信した付加情報と情報ＩＤの組は随時、条件判定器２０６３へ送られる。
【００５４】
一方、ユーザは、映像配信サーバ１０１や情報配信サーバ１０３から配信される中継映像で再視聴したいシーンを予め指定する。ユーザは、例えば、付加情報として配信される情報に含まれるホームランやヒットといったキーワードを直接指定し、それをユーザ設定とする。また、ユーザの興味や操作履歴から見たいシーンに相当するデータを取得して、それをユーザの設定とすることも可能である。ユーザ設定はユーザ情報受信器２０６２で受信され、条件判定器２０６３へ送られる。
【００５５】
条件判定器２０６３は、予め設定されたユーザ設定と情報受信器２０６１から順次送られてくる付加情報を照らし合わせ、ユーザが再視聴したいシーンを判定する。例えば、ホームランやヒットというキーワードでユーザ設定が記述される場合、付加情報として、ホームランやヒットが送られてきたら、そのシーンを記録することし、そのシーンの情報ＩＤを情報記録器２０６４へ送る。
【００５６】
情報記録器２０６４は情報ＩＤを情報ＤＢ２０６５に記録する。記録された情報ＩＤはユーザが再視聴したいと設定したシーンに合致する。ユーザがその情報ＩＤを選択すれば、その後は第１の実施形態と同様のシステムの動作により当該シーンの再視聴が可能である。
【００５７】
したがって、第２の実施形態では、ユーザが再視聴をしたいシーンを予め設定することによりシーン毎の予約録画を可能としている。
【００５８】
（第３の実施形態）
前記の第２及び第３、第４の課題を解決する、第３の実施形態について図５を用いて説明する。３０１は映像を配信する映像配信サーバ、３０３は映像に同期した情報を付与し、当該情報を配信する情報配信サーバ、３０４は情報から映像の再生開始位置を決定する検索サーバ、３０５は配信映像を蓄積し再配信するビデオオンデマンドサーバ、３０６はユーザが映像を試聴するクライアント、３０７は情報配信サーバ３０３から配信される付加情報とユーザ設定に基づいて再視聴するシーンを決定する情報取得サーバである。３０１、３０３〜３０７のそれぞれのサーバ、クライアントは、互いにインターネットを始めとするＩＰ網や電話網、放送網などのネットワークで結ばれている。映像配信サーバ３０１は、直接クライアント３０６へ映像を配信する場合もある。
【００５９】
映像配信サーバ３０１、情報配信サーバ３０３は、第２の実施形態と同様に動作し、情報配信サーバ３０３からは付加情報と情報ＩＤの組が情報取得サーバ３０７へ送信される。
【００６０】
情報取得サーバ３０７とクライアント３０６の動作について、図６を用いて説明する。図６で、３０７１は情報配信サーバから送られる情報を受信する情報受信器、３０７２はユーザが指定する再視聴したいシーンを受信するユーザ情報受信器、３０７３は指定されたシーンが発生したことを判定する条件判定器、３０７４は選ばれたシーンの情報ＩＤを記録する情報記録器、３０７５は記録された情報ＩＤが保存される情報ＤＢ、３０６２は情報ＤＢ３０７５から情報ＩＤを取得する情報要求器、３０６２は保存された情報ＩＤを検索サーバ１０４へ送信する情報送信器、３０６３はビデオオンデマンドサーバからの映像や情報を受信する映像情報受信器、３０６４は映像や情報を表示する情報表示器である。
【００６１】
情報配信サーバ３０３から送られる付加情報と情報ＩＤの組は情報受信器３０７１が受信する。受信した付加情報と情報ＩＤの組は随時、条件判定器３０６３へ送られる。
【００６２】
一方、ユーザは第２の実施形態と同様に再視聴したいシーンを予めユーザ設定として指定する。ユーザ設定はユーザ情報受信器３０７２で受信され、条件判定器３０６３へ送られる。
【００６３】
条件判定器３０６３は、予め設定されたユーザ設定と情報受信器３０６１から順次送られてくる付加情報を照らし合わせ、ユーザが再視聴したいシーンを第２の実施形態と同様に判定し、条件に合致したシーンの情報ＩＤを情報記録器３０７４へ送る。情報記録器３０７４は情報ＩＤを情報ＤＢ３０７５に記録する。
【００６４】
情報ＤＢ３０７５の情報ＩＤは、ユーザの要求によって、情報要求器３０６１に送信される。ユーザは、情報要求器３０６１を操作して、見たいシーンの情報ＩＤを選択し、第１、第２の実施形態と同様に当該シーンの再視聴を行う。
【００６５】
なお、以上までの各実施形態においては、ユーザが記録した再視聴したいシーンの情報ＩＤに基づいて、記録され続けている映像に対して再生開始位置を決定し、その位置データを記録し、再生開始時間位置を指定されると記録した映像を再生する場合を示すが、これは情報ＩＤに基づいて映像の再生開始位置を決定して配信される映像を記録し、再生開始時間位置を指定されると記録した映像を再生することもできる。
【００６６】
また、各実施形態において、情報配信サーバ、検索サーバ、情報取得サーバおよびビデオオンデマンドサーバは、１台のサーバとして実現することができる。
【００６７】
また、本発明は、図１〜図６に示した装置およびその方法の一部又は全部の処理機能をプログラムとして構成してコンピュータを用いて実現すること、あるいはプログラムとして構成してコンピュータに実行させることができる。また、このプログラムを、そのコンピュータが読み取り可能な記録媒体、例えば、ＦＤ（フロッピーディスク：登録商標）、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００６８】
【発明の効果】
以上のように、本発明によれば、以下の効果がある。
【００６９】
（１）ユーザが見たいシーンを指定すれば、シーンを示す情報ＩＤから再生位置を指定でき、配信された映像を記録したビデオオンデマンドサーバが、記録した映像を再生開始時間位置を指定されることによって再生するので、再視聴したい映像を再生できる。
【００７０】
（２）ユーザが予め見たいシーンを指定しておけば、シーンを映像の付加情報により保存するかどうか判定するので、シーン毎にユーザが再視聴したい映像を録画予約できる。
【００７１】
（３）情報ＩＤは再生位置を指定するものであるので、情報ＩＤそのものをユーザが受け取る時刻に関係なく、そのシーンの適切な位置から再視聴が可能になる。
【００７２】
（４）情報ＩＤから再生開始位置を検索するとき、アクセスされたことを記録できるので、ユーザ毎、シーン毎に課金が可能である。
【００７３】
（５）ユーザ毎、シーン毎に関連情報を付与することも可能であり、また再生開始時間位置をカスタマイズすることも可能である。
【図面の簡単な説明】
【図１】本発明の第１及び第２の実施形態を示すシステム構成図。
【図２】本発明の第１及び第２及び第３の実施形態における情報配信サーバの構成図。
【図３】本発明の第１の実施形態におけるクライアントの構成図。
【図４】本発明の第２の実施形態におけるクライアントの構成図。
【図５】本発明の第３の実施形態を示すシステム構成図。
【図６】本発明の第３の実施形態におけるクライアントの構成図。
【符号の説明】
１０１…映像配信サーバ
１０３…情報配信サーバ
１０４…検索サーバ
１０５…ビデオオンデマンドサーバ
１０６…クライアント
１０３１…映像受信器
１０３２…インデクサ
１０３３…情報ＩＤ送信器
１０３４…情報送信器
１０６１…情報受信器
１０６２…ユーザ情報受信器
１０６３…情報記録器
１０６４…情報ＤＢ
１０６５…情報送信器
１０６６…映像情報受信器
１０６７…情報表示器
２０６１…情報受信器
２０６２…情報受信器
２０６３…条件判定器
２０６４…情報記録器
２０６５…情報ＤＢ
２０６６…情報送信器
２０６７…映像情報受信器
２０６８…情報表示器
３０１…映像配信サーバ
３０３…情報配信サーバ
３０４…検索サーバ
３０５…ビデオオンデマンドサーバ
３０６…クライアント
３０７…情報取得サーバ
３０７１…情報受信器
３０７２…ユーザ情報受信器
３０７３…条件判定器
３０７４…情報記録器
３０７５…情報ＤＢ
３０６２…情報要求器
３０６２…情報送信器
３０６３…映像情報受信器
３０６４…情報表示器
【図１】
0003975092.tif 000002
【図２】
0003975092.tif 000003
【図３】
0003975092.tif 000004
【図４】
0003975092.tif 000005
【図５】
0003975092.tif 000006
【図６】
0003975092.tif 000007